(57)【要約】    【課題】断路器に装備したブレード開閉検知用のスイッチ機構について、その「開」，「閉」検知動作の信頼性を高めるように組立構造を改良する。    【解決手段】断路器のベースに組み込んだブレード開閉軸５の軸端に対向してブレードの「開」，「閉」位置を検知するリミットスイッチ１４Ｂ，１４Ａを設置するとともに、ブレード開閉軸の軸端にはスイッチ操作用のアクチュエータとして板カムを装着し、ブレードの開，閉操作に対応して「開」，「閉」位置検知用リミットスイッチをＯＮ動作させるようにした電力用断路器において、前記板カムを、「閉」，「開」検知用リミットスイッチ１４Ａ，１４Ｂと個々に対応する２枚の板カム９Ａ，９Ｂで構成して各リミットスイッチの動作点を個別に調整可能にし、ここで各板カムはブレード開閉軸５の軸端面に重ね合わせてボルト１５で締結した上、さらにスプリングピン１６を打ち込んで回り止めする。【選択図】      図１
2005142017.tif 000002
【特許請求の範囲】
【請求項１】
断路器のベースに組み込んで開閉操作レバーに連結したブレード開閉軸の軸端に対向してその周域にブレードの「開」，「閉」位置を検知するリミットスイッチを配置するとともに、ブレード開閉軸にはスイッチ操作用のアクチュエータとして板カムを装着し、ブレードの開，閉操作に対応して前記板カムが「開」，「閉」位置検知用リミットスイッチをＯＮ動作させるようにした電力用断路器において、
前記板カムを、ブレードの「開」および「閉」検知用リミットスイッチと個々に対応する２枚の板カムで構成し、各板カムをブレード開閉軸に装着したことを特徴とする電力用断路器。
【請求項２】
請求項１記載の電力用断路器において、２枚の板カムを重ね合わせてブレード開閉軸の軸端面にねじ締結した上で、さらに別な回り止め用のピンを介して各板カムを所定の位置に位置決め固定したことを特徴とする電力用断路器。
【発明の詳細な説明】
【技術分野】
【０００１】
本発明は、電力用機器としての電力用のＶ形断路器に関し、詳しくはブレードの「開」，「閉」位置を検知するスイッチ機構に係わる。
【背景技術】
【０００２】
まず、本発明の実施対象となる３相回路用Ｖ形断路器の全体構成を図２(a) 〜(c) に示す。図において、１はブレード（断路刃）、２は固定接触子、１ａ，２ａは接続端子部、３は箱型のベース（操作機構のハウジング）、４はブレード１，固定接極子２の支持碍子、５は各極にまたがってベース３に軸支したブレード開閉軸、６はブレード開閉軸５の一端に連結した手動式の開閉レバー、７はブレード開閉軸５にリンク機構（ベース３内に組み込まれている）を介して各極のブレード１に連結した操作桿（プルバー）であり、さらにベース３から側方に突き出たブレード開閉軸５の軸端には後記する開閉検知用スイッチ機構８が装備されている。なお、図中で５ａはブレード開閉軸５に取付けてブレード１の開，閉リミットスイッチエンドを規制するストッパ、３ａはストッパ５ａに対向してベース３に設けたストッパ受座である。
【０００３】
上記断路器の開閉動作は周知の通りであり、開閉レバー６にフック棒（図示せず）を引っかけて実線位置から鎖線位置に引き下げるとブレード開閉軸５が反時計方向に回転し、このブレード開閉軸５の回転に従動してブレード１が鎖線位置に開放して電路を断路する。
次に、電力用断路器に採用されている開閉検知用スイッチ機構８（例えば、特許文献１参照。）の従来構造を図３(a),(b) に示す。図において、９Ａはブレード１の閉路位置を検知する「閉」検知用リミットスイッチ、９Ｂはブレード１の断路位置を検知する「開」検知用リミットスイッチであり、双方のリミットスイッチ９Ａ，９Ｂは向かい合わせに並べてベース３の端面に支柱１０ａを介して設けた取付座板１０に固定されている。また、前記リミットスイッチ９Ａ，９Ｂに対向してブレード開閉軸５の軸端面にはスイッチの操作アクチュエータとして板カム１４がボルト１５を介して締結固定されている。
【０００４】
上記の構成で、図２に示した断路器の閉路（ＯＮ）状態では、板カム１４が「閉」検知用リミットスイッチ９Ａのレバーを押してＯＮ動作させ、断路器ＯＮを検知している。この状態から断路器を断路（ＯＦＦ）するために、開閉レバー６を操作してブレード１を実線の「閉」位置から鎖線で表す「開」位置に駆動すると、これに従動してブレード開閉軸５，および該開閉軸５の軸端に結合した板カム１４が反時計方向に回動し、そのエンドリミット位置で板カム１４が「開」検知用リミットスイッチ９ＢをＯＮ動作させてブレード１の断路を検知する。
【特許文献１】特開２００１−６４９９号公報
【発明の開示】
【発明が解決しようとする課題】
【０００５】
ところで、図３に示した従来の開閉検知スイッチ機構では、機能面で次に記すような難点がある。
すなわち、図２の断路器において、ブレード１の開，閉エンド位置はベース３に溶接接合したストッパ受け座３ａにブレード開閉軸５に取付けたストッパ５ａを突き当てることで規制するようにしている。一方、ストッパ５ａはその加工寸法，溶接位置のバラツキによって製品ごとにブレードの「開」，「閉」エンド位置が微妙に異なる。このためにブレード開閉軸５の回転に従動する板カム１４のエンドリミット位置もずれるために、リミットスイッチ９Ａ，９Ｂが的確に動作しないでその検知動作の信頼性が損なわれるおそれがあった。
本発明は上記の点に鑑みなされたものであり、その目的はブレード開閉検知用のスイッチ機構について、その「開」，「閉」検知動作の信頼性向上が図れるように改良した電力用断路器を提供することにある。
【課題を解決するための手段】
【０００６】
上記目的を達成するために、本発明によれば、断路器のベースに組み込んで開閉操作レバーに連結したブレード開閉軸の軸端に対向してその周域にブレードの「開」，「閉」位置を検知するリミットスイッチを配置するとともに、ブレード開閉軸にはスイッチ操作用のアクチュエータとして板カムを装着し、ブレードの開，閉操作に対応して前記板カムが「開」，「閉」位置検知用リミットスイッチをＯＮ動作させるようにした電力用断路器において、
前記板カムを、ブレードの「開」および「閉」検知用リミットスイッチと個々に対応する２枚の板カムで構成し、各板カムをブレード開閉軸に装着してリミットスイッチの動作点を個別に調整できるようにするものとする（請求項１）。
また、その具体的な実施の態様として前記２枚の板カムを重ね合わせてブレード開閉軸の軸端面にねじ締結した上で、さらに各板カムが調整後の位置から動かないように、別な回り止め用のピンを介して各板カムを所定の位置に位置決め固定する（請求項２）。
【０００７】
上記の構成により、「開」検知用，および「閉」検知用リミットスイッチの動作点を個別に調整可能であり、しかも調整後は各板カムがずれ動かないように所定位置に固定することができて検知動作の信頼性が向上する。
【発明の効果】
【０００８】
以上述べたように、本発明によれば、断路器のベースに組み込んで開閉操作レバーに連結したブレード開閉軸に対向してその周域にブレードの「開」，「閉」位置を検知するリミットスイッチを配置するとともに、ブレード開閉軸にはスイッチ操作用のアクチュエータとして板カムを装着し、ブレードの開，閉操作に対応して前記板カムが「開」，「閉」位置検知用リミットスイッチをＯＮ動作させるようにした電力用断路器において、前記板カムを、ブレードの「開」および「閉」検知用リミットスイッチと個々に対応する２枚の板カムで構成し、各板カムをブレード開閉軸に装着したことにより、断路器の構成部品に対する加工，組立寸法のバラツキなどを補償して「開」および「閉」検知用リミットスイッチの動作点を個別に調整することができ、これにより「開」，「閉」位置検知動作の信頼性向上が図れる。
【０００９】
また、前記２枚の板カムを重ね合わせてブレード開閉軸の軸端にねじ締結した上で、さらに別な回り止め用のピンを介して各板カムを所定の位置に位置決め固定した請求項２の構成を採用することにより、板カムが使用中に加わる振動などでずれ動くのを阻止して検知動作に対する信頼性を安定確保できる。
【発明を実施するための最良の形態】
【００１０】
以下、本発明の実施の形態を図１(a),(b) に示す実施例に基づいて説明する。なお、実施例の図中で図３に対応する同一部材には同じ符号を付してその詳細な説明は省略する。
図１(a),(b) において、ブレード開閉軸５を中心としてその上下に振り分けて取付座板１０に配置した「開」検知用リミットスイッチ９Ａおよび「閉」検知用リミットスイッチ９Ｂに対し、各スイッチと個々に対応するように位置決め調整された２枚の板カム１４Ａおよび１４Ｂがブレード開閉軸５の軸端面に重ね合わせてボルト１５により一括して締結固定されており、さらにこのボルト１５と変位した位置で２枚の板カム１４Ａ，１４Ｂがスプリングピン１６を介して所定位置からずれないように回り止め固定されている。
ここで、前記板カム１４Ａ．１４Ｂは次のような手順で所定の位置に固定するものとする。すなわち、断路器の製品ごとに組立後に行う調整作業で、図２に示したブレード１を「開」および「閉」のリミットエンド位置に移動操作し、各エンド位置に合わせて「開」，「閉」検知用リミットスイッチがＯＮ動作するように前記２枚の板カム１４Ａおよび１４Ｂを調整して位置決めした上で、ボルト１５で締結する。さらに、この位置で板カム１４Ａ，１４Ｂを貫通してブレード開閉軸５の軸端面にピン通し穴を穿孔し、この穴にスプリングピン１６を打ち込んで板カム１４Ａ，１４Ｂを所定位置からずれ動かないように回り止めする。
【００１１】
上記構成によるスイッチ機構の開閉動作は先述した従来のものと同様であり、図２に示した開閉レバー６を操作してブレード１を開閉位置に駆動すると、これに従動してブレード開閉軸５，およびブレード開閉軸５の軸端に結合した２枚の板カム１４Ａ，１４Ｂが一体に回動し、ブレード１の「開」，「閉」にそれぞれ対応してリミットスイッチ９Ａ，９Ｂをそのリミットエンド位置でＯＮ動作させて検知する。
【図面の簡単な説明】
【００１２】
【図１】本発明の実施例１に対応する開閉検知用スイッチ機構の組立構成図で、(a),(b) はそれぞれ正面図、および側面図
【図２】本発明の実施対象となるＶ形断路器の全体構成図であり、(a) は正面図、(b) は側面図、(c) はベースの側面図
【図３】図２における開閉検知用スイッチ機構の従来の組立構成図で、(a),(b) はそれぞれ正面図、および側面図
【符号の説明】
【００１３】
１    ブレード
３    ベース
５    ブレード開閉軸
６    開閉レバー
８    開閉検知用スイッチ機構
９Ａ  「閉」検知用リミットスイッチ
９Ｂ  「開」検知用リミットスイッチ
１４Ａ，１４Ｂ  板カム（アクチュエータ）
１５    ボルト
１６    スプリングピン
【図１】
2005142017.tif 000003
【図２】
2005142017.tif 000004
【図３】
2005142017.tif 000005